【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  着脱可能な記録媒体にデータを記録する情報記録装置において、
少なくとも１以上の世代の秘密鍵を記憶する記憶手段と、
前記記録媒体の媒体識別情報と前記秘密鍵から第１の鍵を生成する生成手段と、
前記記録媒体に記録する前記データを暗号化するために用いる第２の鍵を前記第１の鍵で暗号化する第１の暗号化手段と、
前記第１の暗号化手段により暗号化された前記第２の鍵を、前記第１の鍵の世代番号とともに前記記録媒体に記録する第１の記録手段と
を備えることを特徴とする情報記録装置。
【請求項２】  前記媒体識別情報を、乱数として発生させる第１の乱数発生手段をさらに備え、
前記第１の暗号化手段は、前記記録媒体が予め前記第２の鍵を有している場合、前記記録媒体から前記第２の鍵を読み出し、前記記録媒体が前記第２の鍵を有していない場合、前記第１の乱数発生手段に前記第２の鍵となる乱数を発生させる
ことを特徴とする請求項１に記載の情報記録装置。
【請求項３】  着脱可能な記録媒体にデータを記録する情報記録装置の情報記録方法において、
少なくとも１以上の世代の秘密鍵を記憶するように記憶を制御する記憶制御ステップと、
前記記録媒体の媒体識別情報と前記秘密鍵から第１の鍵を生成する生成ステップと、
前記記録媒体に記録するデータを暗号化するために用いる第２の鍵を前記第１の鍵で暗号化する第１の暗号化ステップと、
前記第１の暗号化ステップの処理により暗号化された前記第２の鍵を、前記第１の鍵の世代番号とともに前記記録媒体に記録するように記録を制御する第１の記録制御ステップと
を含むことを特徴とする情報記録方法。
【請求項４】  着脱可能な記録媒体にデータを記録する情報記録装置用のプログラムであって、
少なくとも１以上の世代の秘密鍵を記憶するように記憶を制御する記憶制御ステップと、
前記記録媒体の媒体識別情報と前記秘密鍵から第１の鍵を生成する生成ステップと、
前記記録媒体に記録するデータを暗号化するために用いる第２の鍵を前記第１の鍵で暗号化する暗号化ステップと、
前記暗号化ステップの処理により暗号化された前記第２の鍵を、前記第１の鍵の世代番号とともに前記記録媒体に記録するように記録を制御する記録制御ステップと
を含むことを特徴とするコンピュータが読み取り可能なプログラムが記録されている記録媒体。
【請求項５】  着脱可能な記録媒体に記録されているデータを再生する情報再生装置において、
少なくとも１以上の世代の秘密鍵を記憶する記憶手段と、
前記記録媒体から、第１の鍵で暗号化された第２の鍵、前記第２の鍵を暗号化した前記第１の鍵の世代番号、および前記記録媒体の媒体識別情報を読み出す第１の読み出し手段と、
前記第１の読み出し手段により読み出された前記媒体識別情報および前記世代番号に対応する前記秘密鍵から前記第１の鍵を生成する生成手段と、
前記生成手段により生成された前記第１の鍵で、前記第２の鍵を復号する第１の復号手段と
を備えることを特徴とする情報再生装置。
【請求項６】  前記記録媒体は、複数の記録単位に分割されており、
前記記録単位に記録されている前記第２の鍵で暗合化された第３の鍵を読み出す第２の読み出し手段と、
前記第１の復号手段により復号された前記第２の鍵で、前記第２の読み出し手段により読み出された前記第３の鍵を復号する第２の復号手段と、
前記第２の復号手段により復号された前記第３の鍵で、前記データを復号する第３の復号手段と
をさらに備えることを特徴とする請求項５に記載の情報再生装置。
【請求項７】  着脱可能な記録媒体に記録されているデータを再生する情報再生装置の情報再生方法において、
少なくとも１以上の世代の秘密鍵を記憶するように記憶を制御する記憶制御ステップと、
前記記録媒体から、第１の鍵で暗号化された第２の鍵、前記第２の鍵を暗号化した前記第１の鍵の世代番号、および前記記録媒体の媒体識別情報を読み出す第１の読み出しステップと、
前記第１の読み出しステップの処理により読み出された前記媒体識別情報および前記世代番号に対応する前記秘密鍵から前記第１の鍵を生成する生成ステップと、
前記生成ステップの処理により生成された前記第１の鍵で、前記第２の鍵を復号する第１の復号ステップと
を含むことを特徴とする情報再生方法。
【請求項８】  着脱可能な記録媒体に記録されているデータを再生する情報再生装置用のプログラムであって、
少なくとも１以上の世代の秘密鍵を記憶するように記憶を制御する記憶制御ステップと、
前記記録媒体から、第１の鍵で暗号化された第２の鍵、前記第２の鍵を暗号化した前記第１の鍵の世代番号、および前記記録媒体の媒体識別情報を読み出す読み出しステップと、
前記読み出しステップの処理により読み出された前記媒体識別情報および前記世代番号に対応する前記秘密鍵から前記第１の鍵を生成する生成ステップと、
前記生成ステップの処理により生成された前記第１の鍵で、前記第２の鍵を復号する復号ステップと
を含むことを特徴とするコンピュータが読み取り可能なプログラムが記録されている記録媒体。
【請求項９】  情報記録装置または情報再生装置によりデータが記録または再生される記録媒体において、
前記記録媒体に固有の値である媒体識別情報と、
前記媒体識別情報と前記情報記録装置からの秘密鍵により生成される第１の鍵で暗号化された、前記データを暗号化するために用いる前記第２の鍵とが記録されているとともに、
前記第１の鍵で暗号化されている前記第２の鍵は、前記第１の鍵の世代番号と関連付けられて記録されている
ことを特徴とする記録媒体。
【手続補正２】
【補正対象書類名】明細書
【補正対象項目名】００１６
【補正方法】変更
【補正の内容】
【００１６】
請求項３に記載の情報記録方法は、少なくとも１以上の世代の秘密鍵を記憶するように記憶を制御する記憶制御ステップと、記録媒体の媒体識別情報と秘密鍵から第１の鍵を生成する生成ステップと、記録媒体に記録するデータを暗号化するために用いる第２の鍵を第１の鍵で暗号化する第１の暗号化ステップと、第１の暗号化ステップの処理により暗号化された第２の鍵を、第１の鍵の世代番号とともに記録媒体に記録するように記録を制御する第１の記録制御ステップとを含むことを特徴とする。
【手続補正３】
【補正対象書類名】明細書
【補正対象項目名】００１７
【補正方法】変更
【補正の内容】
【００１７】
請求項４に記載の記録媒体のプログラムは、少なくとも１以上の世代の秘密鍵を記憶するように記憶を制御する記憶制御ステップと、記録媒体の媒体識別情報と秘密鍵から第１の鍵を生成する生成ステップと、記録媒体に記録するデータを暗号化するために用いる第２の鍵を第１の鍵で暗号化する暗号化ステップと、暗号化ステップの処理により暗号化された第２の鍵を、第１の鍵の世代番号とともに記録媒体に記録するように記録を制御する記録制御ステップとを含むことを特徴とする。
【手続補正４】
【補正対象書類名】明細書
【補正対象項目名】００１８
【補正方法】変更
【補正の内容】
【００１８】
請求項５に記載の情報再生装置は、少なくとも１以上の世代の秘密鍵を記憶する記憶手段と、記録媒体から、第１の鍵で暗号化された第２の鍵、第２の鍵を暗号化した第１の鍵の世代番号、および記録媒体の媒体識別情報を読み出す第１の読み出し手段と、第１の読み出し手段により読み出された媒体識別情報および世代番号に対応する秘密鍵から第１の鍵を生成する生成手段と、生成手段により生成された第１の鍵で、第２の鍵を復号する第１の復号手段とを備えることを特徴とする。
【手続補正５】
【補正対象書類名】明細書
【補正対象項目名】００１９
【補正方法】変更
【補正の内容】
【００１９】
請求項７に記載の情報再生方法は、少なくとも１以上の世代の秘密鍵を記憶するように記憶を制御する記憶制御ステップと、記録媒体から、第１の鍵で暗号化された第２の鍵、第２の鍵を暗号化した第１の鍵の世代番号、および記録媒体の媒体識別情報を読み出す第１の読み出しステップと、第１の読み出しステップの処理により読み出された媒体識別情報および世代番号に対応する秘密鍵から第１の鍵を生成する生成ステップと、生成ステップの処理により生成された第１の鍵で、第２の鍵を復号する第１の復号ステップとを含むことを特徴とする。
【手続補正６】
【補正対象書類名】明細書
【補正対象項目名】００２０
【補正方法】変更
【補正の内容】
【００２０】
請求項８に記載の記録媒体のプログラムは、少なくとも１以上の世代の秘密鍵を記憶するように記憶を制御する記憶制御ステップと、記録媒体から、第１の鍵で暗号化された第２の鍵、第２の鍵を暗号化した第１の鍵の世代番号、および記録媒体の媒体識別情報を読み出す読み出しステップと、読み出しステップの処理により読み出された媒体識別情報および世代番号に対応する秘密鍵から第１の鍵を生成する生成ステップと、生成ステップの処理により生成された第１の鍵で、第２の鍵を復号する復号ステップとを含むことを特徴とする。
【手続補正７】
【補正対象書類名】明細書
【補正対象項目名】００２１
【補正方法】変更
【補正の内容】
【００２１】
請求項９に記載の記録媒体は、記録媒体に固有の値である媒体識別情報と、媒体識別情報と情報記録装置からの秘密鍵により生成される第１の鍵で暗号化された、データを暗号化するために用いる第２の鍵とが記録されているとともに、第１の鍵で暗号化されている第２の鍵は、第１の鍵の世代番号と関連付けられて記録されていることを特徴とする。
【手続補正８】
【補正対象書類名】明細書
【補正対象項目名】００２２
【補正方法】変更
【補正の内容】
【００２２】
請求項１に記載の情報記録装置、請求項３に記載の情報記録方法、および請求項４に記載の記録媒体のプログラムにおいては、少なくとも１以上の世代の秘密鍵が記憶され、記録媒体の媒体識別情報と秘密鍵から第１の鍵が生成され、記録媒体に記録するデータを暗号化するために用いる第２の鍵が第１の鍵で暗号化され、暗号化された第２の鍵が第１の鍵の世代番号とともに記録媒体に記録される。
【手続補正９】
【補正対象書類名】明細書
【補正対象項目名】００２３
【補正方法】変更
【補正の内容】
【００２３】
請求項５に記載の情報再生装置、請求項７に記載の情報再生方法、および請求項８に記載の記録媒体のプログラムにおいては、少なくとも１以上の世代の秘密鍵が記憶され、記録媒体から、第１の鍵で暗号化された第２の鍵、第２の鍵を暗号化した第１の鍵の世代番号、および記録媒体の媒体識別情報が読み出され、読み出された媒体識別情報および世代番号に対応する秘密鍵から第１の鍵が生成され、生成された第１の鍵で、第２の鍵が復号される。
【手続補正１０】
【補正対象書類名】明細書
【補正対象項目名】００２４
【補正方法】変更
【補正の内容】
【００２４】
請求項９に記載の記録媒体においては、記録媒体に固有の値である媒体識別情報と、媒体識別情報と情報記録装置からの秘密鍵により生成される第１の鍵で暗号化された、データを暗号化するために用いる第２の鍵とが記録されているとともに、第１の鍵で暗号化されている第２の鍵は、第１の鍵の世代番号と関連付けられて記録されている。